(57)【要約】      （修正有）【課題】折り畳み可能な携帯電話機では、予め設定・登録された待ち受け画像を表示することが可能であるが、画像による出力であり、文字情報を出力し学習等に利用出来ていなかった。携帯電話機の開閉に際し、予め携帯電話機に登録し蓄積された文字情報から、ある一定の設定された条件により文字情報を抜き出し、予め登録された画像上に上記文字情報をその都度出力すること。【解決手段】折り畳み可能な本体と折り畳みを検知する検知手段を有し、待ち受け画面として表示される文字情報を、予め登録しておいた文字情報から抽出する文字情報抽出手段と、抽出された文字情報を変更する出力変更手段により、本体が折り畳まれた状態から拡げられる際に、本体が折り畳まれる前とは異なる文字情報を、予め携帯電話機内に蓄積しておいた文字情報記憶媒体より設定された条件で抽出し、予め登録された待ち受け画面の１階層上に重ねて表示することを可能にする。【選択図】図１
2005318485.tif 000002
【特許請求の範囲】
【請求項１】
折り畳み可能な本体を有し、待ち受け動作時に所定の画像を待ち受け画面として表示する携帯電話機において、前記本体が折り畳まれた状態から拡げられる際に、前記本体が折り畳まれる前とは異なる文字情報を、予め携帯電話機内に蓄積しておいた文字情報記憶媒体より設定された条件で抽出し、予め登録された待ち受け画面の１階層上に重ねて表示する、ことを特徴とする携帯電話機。
【請求項２】
前記本体が折り畳まれたことを検知する検知手段と、前記検知手段によって前記本体が折り畳まれたことが検知された際に、前記待ち受け画面として表示される文字情報を、予め登録しておいた文字情報を抽出する文字情報抽出手段と、前記の抽出された文字情報を変更する出力変更手段とを備えることを特徴とする請求項１記載の携帯電話機。
【発明の詳細な説明】
【技術分野】
【０００１】  本発明は、折りたたみ可能な本体を有し、待ち受け動作時に所定の画像を待ち受け画面として表示する携帯電話機において、前記本体が折り畳まれた状態から拡げられる際に、前記本体が折り畳まれる前とは異なる文字情報を、予め携帯電話機内に蓄積しておいた文字情報記憶媒体より設定された条件で抽出し、予め登録された待ち受け画面の１階層上に重ねて表示する、ことを特徴とする携帯電話機用システムと、予め携帯電話機内に蓄積しておいた文字情報記憶媒体より設定された条件で抽出し、予め登録された待ち受け画面の１階層上に重ねて表示するシステムを実現する記憶媒体に関する。
【背景技術】
【０００２】  現在、携帯電話の形式として主流である折りたたみ可能な携帯電話機において、画面開閉時に待ち受け画面の切り替えを行う携帯電話機は存在する。
【発明の開示】
【発明が解決しようとする課題】
【０００４】  しかしながら、現在、折りたたみ可能な携帯電話機では、予め設定・登録された待ち受け画像を表示することが可能であるが、それは画像による出力であり、文字情報を出力し、学習等に利用する手段が確立されていない。【０００５】  そのため本発明は、携帯電話機の開閉に際し、予め携帯電話機に登録し蓄積された文字情報から、ある一定の設定された条件により、文字情報を抜き出し、予め登録された画像上に上記文字情報をその都度出力すること、を課題とする。
【課題を解決するための手段】
【０００６】  上記課題を解決するために請求項１に記載されている発明は、折り畳み可能な本体を有し、待ち受け動作時に所定の画像を待ち受け画面として表示する携帯電話機において、前記本体が折り畳まれた状態から拡げられる際に、前記本体が折り畳まれる前とは異なる文字情報を、予め携帯電話機内に蓄積しておいた文字情報記憶媒体より、予め設定された条件で抽出し、予め登録された待ち受け画面の１階層上に重ねて表示することができるようにしたものである。【０００７】  すなわちこの第一発明は、折り畳み可能な本体を有し、待ち受け動作時に所定の画像を待ち受け画面として表示する携帯電話機において、前記本体が折り畳まれた状態から拡げられる際に、前記本体が折り畳まれる前とは異なる文字情報を、予め携帯電話機内に蓄積しておいた文字情報記憶媒体より設定された条件で抽出し、予め登録された待ち受け画面の１階層上に重ねて表示することを特徴とする。【０００８】  また、第二発明は、折り畳み可能な本体を有し、前記本体が折り畳まれたことを検知し、前記検知手段によって前記本体が折り畳まれたことが検知された際に、前記待ち受け画面として表示される文字情報を、予め登録しておいた文字情報を抽出する文字情報抽出手段と、前記の抽出された文字情報を変更する出力変更手段とを備えることを特徴とする。
【発明の効果】
【０００９】
【００１０】  本発明は次のような効果を奏する。
第一発明、第二発明、によると本発明は従来の携帯電話機とは異なり、折り畳み可能な本体を有し、前記本体が折り畳まれたことを検知し、前記検知手段によって前記本体が折り畳まれたことが検知された際に、前記待ち受け画面として表示される文字情報を、予め登録しておいた文字情報を抽出する文字情報抽出手段と、前記の抽出された文字情報を変更する出力変更手段と前記本体が折り畳まれた状態から拡げられる際に、前記本体が折り畳まれる前とは異なる文字情報を、予め携帯電話機内に蓄積しておいた文字情報記憶媒体より設定された条件で抽出し、予め登録された待ち受け画面の１階層上に重ねて表示する、ことを可能にする。
【発明を実施するための最良の形態】
【００１１】  以下、この発明に係わる待ち受け画面文字情報切り替え折りたたみ式携帯電話機の実施の形態を図面を参照して詳細に説明する。【００１２】  この発明の一実施形態を、図１に示す。【００１３】  図１において、この実施の形態の情報配信システム１００は、インターネット網２０と、インターネット２０に接続可能な文字情報配信サーバ５０と、文字情報配信サーバ５０が利用可能であり、配信する文字情報が予め記録されている文字情報データベース６０と、折りたたみ式携帯電話機１０と、上記折りたたみ式携帯電話１０内に記憶される文字情報１１に具備して構成される一例である。【００１４】  インターネット上の配信情報サーバ５０は、配信情報サーバ５０が情報検索可能な文字情報データベース６０を具備している。【００１５】  また、インターネットにアクセス可能な折りたたみ式携帯電話機１０は、折りたたみ式携帯電話機１０内に配信された情報を格納しておくことが可能な文字情報記憶域、文字情報１１を具備する。【００１６】  折りたたみ式携帯電話機１０において、メインディスプレイが閲覧できない状態になっていて、上記携帯電話機の内側が合わさっている状態を「閉状態」と称し、また、メインディスプレイが閲覧可能であり、上記携帯電話機の内側が合わさっていない状態を「開状態」と称する。【００１７】  図２は、図１に示される文字情報データベース６０の記録内容の一例を示したものである。各項目の詳細を以下に示す。
文字情報データベース６０は
１）インデックス  ・・・  文字情報データベースで一意となる連番
２）配信コード  ・・・  配信する情報単位を管理する情報
３）文字情報  ・・・  コンテンツとなる文字情報
４）付加情報  ・・・  コンテンツに付随する文字情報
等の情報を記録する。【００１８】  この文字情報データベース６０で管理される情報は予め登録された情報である。【００１９】  図３は図１に示される文字情報１１の記録内容の一例を示したものであり、文字情報１１の記録内容は文字情報データベース６０の一部である。各項目の詳細を以下に示す。
文字情報１１は
１）インデックス  ・・・  文字情報を一意で判別できる連番
２）文字情報  ・・・  コンテンツとなる文字情報
３）付加情報  ・・・  コンテンツに付随する文字情報
等の情報を記録する。【００２０】  また、上記文字情報１１に記録される情報は、折りたたみ式携帯電話機１０がインターネット２０上に存在する文字情報配信サーバ５０に対しアクセスを行い、文字情報配信サーバが文字情報データベース６０から情報を検索したコンテンツ情報であり、その結果を折りたたみ式携帯電話機１０に返信し、折りたたみ式携帯電話機１０は返信された情報を文字情報１１に格納する。図４は上記の情報入手手段の流れをそれぞれの構成に分けて示したものである。【００２１】  上記情報入手手段は、前述の図４の方式にとらわれることはなく、例えば、予め携帯電話機に内蔵させる、小型の情報記録媒体（ＳＤカード、スマートメディア等）を用いての情報入手、なども勿論可能である。【００２２】  次に利用者が、この発明を用いた一実施形態を利用する際の、処理フローを図５に示し、各ブロックの処理の詳細を以下に説明する。【００２３】  文字情報１１にコンテンツ情報を格納した折りたたみ式携帯電話機１０は、まず利用者により待ち受け画像が登録される。（ステップ１００）【００２４】  利用者により、表示する情報を選択する。例えば、毎回異なる情報を表示する設定、一つずつ順番に表示する設定、ランダムに抽出し表示する設定、等である。（ステップ１０５）【００２５】  利用者による携帯電話機の開閉動作を検地する。（ステップ１０７）【００２６】  携帯電話機が開状態に遷移されたか、を判断し処理を分岐させる。（ステップ１１０）【００２７】  閉状態になる前にディスプレイに表示されている文字情報があれば、履歴情報とし、記憶域に格納しておく。（ステップ１３５）【００２８】  履歴情報が存在するかの判断をおこない処理を分岐させる。（ステップ１１５）【００２９】  文字情報１１に含まれる情報を履歴情報と比較し、ステップ１０５で設定した情報が、例えば、ステップ１０５の設定が一つずつ順番に表示する設定であれば、文字情報１１から履歴情報の次の情報を抽出し、ランダムに抽出し表示する設定であれば、履歴情報と同じでない情報を文字情報１１からランダムに抽出する、等を行う。（ステップ１２０）【００３０】  文字情報１１に含まれる情報を、ステップ１０５で設定した情報が、例えば、ステップ１０５の設定が一つずつ順番に表示する設定であれば、文字情報１１から初めの情報を抽出し、ランダムに抽出し表示する設定であれば、情報を文字情報１１からランダムに抽出する、等を行う。（ステップ１３０）【００３１】  ステップ１２０、またはステップ１３０で抽出された文字情報を、ステップ１００で登録された待ち受け画像と統合し文字情報を含む待ち受け画像を作成する。（ステップ１２５）【００３２】  ステップ１２５で作成された文字情報を含む待ち受け画像を携帯電話機のティスプレイにアウトプットする。（ステップ１４０）【００３３】  上記一実施形態の利用方法は、例えば英単語の学習などに効果を発揮する。すなわち、コンテンツ情報サーバから折りたたみ式携帯電話機内に格納された英単語および語訳の情報を、折りたたみ式携帯電話機を開閉するたびに表示する。そのことにより、電話をかける、メールを送るなどの携帯電話の操作に付随して文字情報を視界に入れることにな��。そのため、ふとした瞬間に学習効果を発揮する等の効力がある。【００３４】  上記理由により、折りたたみ可能な本体を有し、待ち受け動作時に所定の画像を待ち受け画面として表示する携帯電話機において、前記本体が折り畳まれた状態から拡げられる際に、前記本体が折り畳まれる前とは異なる文字情報を、予め携帯電話機内に蓄積しておいた文字情報記憶媒体より設定された条件で抽出し、予め登録された待ち受け画面の１階層上に重ねて表示する、ことを特徴とする携帯電話機用システムと、予め携帯電話機内に蓄積しておいた文字情報記憶媒体より設定された条件で抽出し、予め登録された待ち受け画面の１階層上に重ねて表示するシステムを実現することが出来る。
【図面の簡単な説明】
【００３５】
【図１】  この発明に係わる待ち受け画面文字情報切り替え折りたたみ式携帯電話機を用いた一実施形態を示すブロック図である。
【図２】  図１に示した文字情報データベース６０で記憶管理される情報の一例を示す図である。
【図３】  図１に示した文字情報１１で記憶管理される情報の一例を示す図である。
【図４】  図１に示した構成にて、文字情報１１が文字情報データベース６０から文字情報を入手する手段の一例を表したものである。
【図５】  利用者が、この発明を用いた一実施形態を利用する際の処理フローである。
【符号の説明】
【００３６】１０  折りたたみ式携帯電話機
１１  文字情報
２０  インターネット
５０  文字情報配信サーバ
６０  文字情報データベース
【図１】
2005318485.tif 000003
【図２】
2005318485.tif 000004
【図３】
2005318485.tif 000005
【図４】
2005318485.tif 000006
【図５】
2005318485.tif 000007